(57)【要約】  粒状粘土中の粉塵を減少させるための方法。本方法は、粘土粒子を、少なくとも５０重量％のアクリル酸の重合単位を含み、かつ１，０００〜１００，０００のＭｗを有するポリマーと接触させることを含む。【特許請求の範囲】
【請求項１】
粒状粘土中の粉塵を減少させるための方法であって、粘土粒子を、少なくとも５０重量％のアクリル酸の重合単位を含み、かつ１，０００〜１００，０００のＭｗを有するポリマーと接触させることを含む、方法。
【請求項２】
前記ポリマーが、前記粘土の０．１〜２重量％の量で粒状粘土を含む乾燥組成物に添加される、請求項１に記載の方法。
【請求項３】
前記ポリマーが、少なくとも６０重量％のアクリル酸の重合単位を含む、請求項２に記載の方法。
【請求項４】
前記粒状粘土が、キャットリターの成分である、請求項３に記載の方法。
【請求項５】
前記ポリマーが、２，０００〜８０，０００のＭｗを有する、請求項４に記載の方法。
【請求項６】
前記キャットリターが、ベントナイトを含む、請求項５に記載の方法。
【請求項７】
前記ポリマーが、少なくとも８０重量％のアクリルモノマーの重合単位を含む、請求項６に記載の方法。
【請求項８】
前記ポリマーが、２，５００〜４０，０００のＭｗを有する、請求項６に記載の方法。
【請求項９】
前記ポリマーが、少なくとも７０重量％のアクリル酸の重合単位を含む、請求項８に記載の方法。
【請求項１０】
前記ポリマーが、３，０００〜３０，０００のＭｗを有する、請求項９に記載の方法。
【発明の詳細な説明】
【技術分野】
【０００１】
本発明は、一般に、吸収剤として使用される粒状粘土、例えばキャットリターボックスに使用されるキャットリター中の粉塵を減少させるための方法に関する。
【背景技術】
【０００２】
ベントナイト粘土は、望ましい担体材料であるが、それらは、その小さい粒子サイズのために取扱い時に大量の粉塵を発生するという欠点を有する。この粉塵発生問題は、知られており、様々な解決策が以前に提案されている。例えば、粘土への凝集吸収材料および粘着付与剤の導入がＵＳ２０１６／００４４８９１Ａに提案されている。この問題に対して利用可能な追加の解決策を有することが望ましい。
【０００３】
本発明が取り組む問題は、粒状粘土、特にキャットリター中の粉塵を減少させるための改善された方法を見出すことである。
【発明の概要】
【０００４】
本発明は、粒状粘土中の粉塵を減少させるための方法であって、粘土粒子を、少なくとも５０重量％の重合単位のアクリル酸を含み、かつ１，０００〜１００，０００のＭｗを有するポリマーと接触させることを含む、方法に関する。
【発明を実施するための形態】
【０００５】
別に指定のない限り、全ての百分率は、重量百分率（重量％）であり、全ての温度は、℃である。別様に明記しない限り、全ての操作は、室温（２０〜２５℃）で実行される。ポリマーの重量百分率は、乾燥ポリマー（「ポリマー固形分」）に基づく。ポリマー中の重合モノマー単位の重量百分率は、乾燥ポリマーの重量に基づく。（メタ）アクリルまたは（メタ）アクリレートは、アクリルもしくはメタクリル、またはアクリレートおよびメタクリレートをそれぞれ意味する。当技術分野で既知のように、重量平均分子量Ｍｗは、ポリアクリル酸標準を使用してゲル浸透クロマトグラフィー（ＧＰＣ）によって測定される。ＧＰＣの技術は、Ｍｏｄｅｒｎ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４に詳細に記載されている。本明細書に報告されている分子量は、ダルトンの単位である。
【０００６】
キャットリターは、飼い猫が室内で排尿および排便することができる容器の内側を覆うために使用されることが多い粒状形態の吸収材料である。利用可能なキャットリターには多くの様々な種類が存在するが、本質的にそれらのほとんどは、３つの異なるカテゴリーである、粘土系、シリカ系、および生分解性に分類される。粘土系リターは、大部分が吸収性の粘土材料で、少量の石灰石、結晶化シリカ、四ホウ酸ナトリウム、またはそれらの組み合わせが含まれることが多い。粘土のスメクタイト族には、様々な鉱物種のモンモリロナイト（特にベントナイト−モンモリロナイト粘土）、ノントロナイト、ヘクトライト。およびサポナイトが含まれ、これらは全て粘土鉱物中に様々な量で存在することができる。典型的には、粘土系リターは、５５〜９８重量％の粘土、好ましくは少なくとも６０重量％、好ましくは少なくとも６５重量％、好ましくは少なくとも７０重量％。好ましくは９５重量％以下、好ましくは９０重量％以下を含む。好ましくは粘土は、主としてベントナイトであり、好ましくは粘土の少なくとも５０重量％、好ましくは少なくとも７５重量％、好ましくは少なくとも９０重量％、好ましくは少なくとも９５重量％がベントナイトである。好ましくは、リターは、カルシウムおよび／またはマグネシウムを含む５〜３０重量％のミネラル、好ましくは少なくとも１０重量％、好ましくは少なくとも１５重量％、好ましくは２５重量％以下、好ましくは２０重量％以下のミネラルをさらに含む。好ましくは、リターは、０．５〜１０重量％、好ましくは０．５〜８重量％、好ましくは０．５〜６重量％のシリカをさらに含む。
【０００７】
シリカ系リターは、主に結晶化シリカである。生分解性リターは、松の木のペレット、木の削りくず、木材チップ、再生新聞紙、塊のおがくず、ブラジルキャッサバ、トウモロコシ、小麦、クルミ、大麦、オカラ、および乾燥したオレンジの皮を含む、様々な植物資源から作製される。好ましくは、粒状粘土は、凝集剤、例えばセルロース、セルロース誘導体（カルボキシメチルセルロース、ならびにアルキルおよび／またはヒドロキシアルキルセルロースエーテルを含む）、グアー、キサンタンガム、デンプン、またはポリエチレンオキシドを実質的に含まない。実質的に含まないという用語は、粘土の総重量に基づいて、２重量％以下、好ましくは１重量％以下、好ましくは０．５重量％以下、好ましくは０．２重量％以下、好ましくは０．１重量％以下、好ましくは０重量％を含有することを意味する。
【０００８】
好ましくは、粒状粘土は、４メッシュ篩サイズ（４７６０ミクロン）〜６０メッシュ篩サイズ（２５０ミクロン）、好ましくは１８メッシュ篩サイズ（１０００ミクロン）〜６０メッシュ篩サイズ（２５０ミクロン）の範囲の平均粒径を有する。好ましくは、ポリマーは、混合中にポリマーまたはポリマー配合物の溶液を粘土粒子上に噴霧し、次いで例えばベルトまたはコンベヤ乾燥ラインを介してコーティングされた粘土粒子を乾燥させることによって粘土粒子と接触させる。
【０００９】
本発明で使用されるポリマーは、典型的にはフィルム形成ポリマーまたはバインダーポリマーを、一般に水性分散液またはエマルジョンの形態で含む。本発明における使用に好適なポリマーバインダーは、典型的には−４１〜１３０℃、好ましくは少なくとも１０℃、好ましくは少なくとも３０℃、好ましくは少なくとも４０℃、好ましくは１２０℃以下、好ましくは１１０℃以下のガラス転移温度Ｔｇを有する。本明細書で使用される場合、「ガラス転移温度」または「Ｔｇ」という用語は、ガラス質ポリマーがポリマー鎖の分節性運動を受けるであろう温度またはそれ以上の温度を指す。ポリマーのガラス転移温度は、Ｆｏｘ方程式（Ｂｕｌｌｅｔｉｎ  ｏｆ  Ａｍｅｒｉｃａｎ  Ｐｈｙｓｉｃｓ  Ｓｏｃｉｅｔｙ，１（３），ｐ１２３，１９５６）によって次のように推定することができる。
１／Ｔｇ＝ｗ１／Ｔｇ，１＋ｗ２／Ｔｇ，２
２種類のモノマーを含むコポリマーについては、ｗ１およびｗ２は、２つのモノマーの重量分率を指し、Ｔｇ，１およびＴｇ，２は、モノマーから作製される２つの対応するホモポリマーのガラス転移温度を指す。３つ以上のモノマーを含有するポリマーについては、追加の用語が加えられる（ｗｎ／Ｔｇ，ｎ）。ポリマーのＴｇは、例えば、示差走査熱量測定（「ＤＳＣ」）を含む様々な技術によっても測定することができる。
【００１０】
ポリマーバインダーは、典型的には水性分散液の形態の、１つ以上のエチレン性不飽和モノマーから誘導される水不溶性エマルジョンポリマーであるのが好ましい。アクリル酸に加えて、好適なエチレン性不飽和モノマーとしては、メタクリル酸および２−アクリルアミド−２−メチルプロパンスルホン酸などの他のエチレン性不飽和カルボン酸またはスルホン酸、（Ｃ１−Ｃ２０）アルキル（メタ）アクリレートエステル、カルボン酸無水物および（メタ）アクリルアミドなどのカルボン酸モノマーの誘導体、ビニル芳香族モノマー、ビニルアルキルモノマー、ならびにそれらの組み合わせが挙げられる。好ましいモノマーとしては、メタクリル酸、ビニル芳香族モノマー、好ましくはスチレン、無水マレイン酸、２−アクリルアミド−２−メチルプロパンスルホン酸、ジイソブチレンが挙げられる。
【００１１】
［表］
2019537426.tif 000002
【００１２】
アクリルモノマーは、（メタ）アクリル酸、Ｃ１−Ｃ２０アルキルまたはヒドロキシアルキル基を有する（メタ）アクリル酸エステル、マレイン酸、無水マレイン酸、アクリルアミド、メタクリルアミド、イタコン酸、クロトン酸を含む。好ましくは、ポリマーは、少なくとも６０重量％、好ましくは少なくとも６５重量％、好ましくは少なくとも７０重量％、好ましくは少なくとも７５重量％、好ましくは少なくとも８０重量％、好ましくは少なくとも８５重量％、好ましくは少なくとも９０重量％、好ましくは少なくとも９８重量％のアクリルモノマーの重合単位を有する。好ましくは、ポリマーは、６０〜１００重量％、好ましくは少なくとも６０重量％、好ましくは少なくとも７０重量％、好ましくは少なくとも８０重量％、好ましくは少なくとも９０重量％の（メタ）アクリル酸、無水マレイン酸、およびマレイン酸から選択されるモノマーの重合単位を含む。好ましくは、ポリマーは、６０〜１００重量％、好ましくは少なくとも６０重量％、好ましくは少なくとも７０重量％、好ましくは少なくとも８０重量％、好ましくは少なくとも９０重量％のアクリル酸、無水マレイン酸、およびマレイン酸から選択されるモノマーの重合単位を含む。好ましくは、ポリマーは、６０〜１００重量％、好ましくは少なくとも６５重量％、好ましくは少なくとも７０重量％、好ましくは少なくとも７５重量％のアクリル酸の重合単位を含む。
【００１３】
好ましくは、ポリマーは、０．５重量％以下、好ましくは０．２重量％以下、好ましくは０．０５重量％以下、好ましくは０．０２５重量％以下、好ましくは０．０１重量％以下の架橋剤（すなわち、多エチレン性不飽和化合物）の重合単位を有する。好ましくは、エマルジョンポリマー粒子の平均粒子サイズは、１００ｎｍ〜１，０００ｎｍ、好ましくは少なくとも１５０ｎｍ、好ましくは少なくとも２００ｎｍ、好ましくは９００ｎｍ以下、好ましくは８００ｎｍ以下、好ましくは７００ｎｍ以下である。
【００１４】
好ましくは、ポリマーは、少なくとも２，０００、好ましくは少なくとも２，５００、好ましくは少なくとも３，０００、好ましくは少なくとも３，５００、好ましくは９０，０００以下、好ましくは８０，０００以下、好ましくは７０，０００以下、好ましくは６０，０００以下、好ましくは５０，０００以下、好ましくは４０，０００以下、好ましくは３０，０００以下、好ましくは２０，０００以下のＭｗを有する。
【００１５】
好ましくは、ポリマーは、粘土の０．１〜２重量％、好ましくは少なくとも０．１５重量％、好ましくは少なくとも０．２重量％、好ましくは少なくとも０．２５重量％、好ましくは１．５重量％以下、好ましくは１重量％以下、好ましくは０．５重量％以下の量の粒状粘土を含む乾燥組成物に添加される。
【実施例】
【００１６】
試験方法の説明：
本発明者らの調査結果を検証するために、本発明者らは、濁度の読み取りおよび沈降粉塵粒子を使用した。濁度の読み取りによる手法は、本発明の組成物によって提供される粒子抑制を分析して、水抽出物の濁度を測定することによって、コーティングされたおよびコーティングされていない動物用リターからの水抽出物中の粒子の懸濁を決定することである。濁度は、比濁計と呼ばれる機器によって測定される。比濁計からの濁度の単位は、比濁計濁度単位（ＮＴＵ）である。高いＮＴＵ値は、より高い濁度を示し、より低いＮＴＵ値は、より低い濁度を示す。コーティングされたおよびコーティングされていない動物用リターの水抽出における濁度は、水中に浮遊する粒子によるものである。コーティングされた動物用リターの低いＮＴＵ値は、コーティングされた動物用リターからより少ない粒子が抽出されることを示し、粒子粉塵抑制を実証する。本発明者らは、噴霧装置を使用して粉塵抑制剤をキャットリターに直接噴霧する。したがって、粉塵抑制剤を動物用リターの上にできるだけ均等に広げて、できるだけ均一にする。次いで、動物用リターを適切な大きさの瓶に注ぎ入れることによって直ちに混合し、瓶を２分間振とうおよび転動することによって混合した。次いで、動物用リターを周囲温度で乾燥させた。
【００１７】
乾燥後、３グラムの動物用リターを１オンスのバイアルに入れる。次いで、２５ミリリットルの脱イオン水を３グラムの動物用リターの上部の１オンスのバイアルに入れる。直ちに、バイアルを１５回素早く反転し、脱イオン水と動物用リターを混合する。１５回目の反転の直後に、上部の１１ミリリットルを取り出し、別の１オンスバイアルに入れる。直ちに濁度計の１オンスのバイアルを読み取る。本発明者らは、濁度の読み取りにはＡＦ  Ｓｃｉｅｎｔｉｆｉｃ  Ｍｉｃｒｏ  １００  Ｔｕｒｂｉｄｉｍｅｔｅｒを使用した。本発明者らは、時間０（最初の読み取り）、１分、２分、５分、１時間、および２４時間に濁度を読み取った。より低い濁度の読み取り値は、脱イオン水中に浮遊する粒子が少ないことを示し、上部１１ミリリットルを取ることは、本発明者らが最も小さい粒子のみを取ることを可能にする（典型的にはダスティング現象を引き起こす）。
【００１８】
リターを使用したベンチトップスクリーニング法：
１．  ４ｏｚの瓶に１０ｇのリターを量る。
２．  試験溶液を噴霧する。必要に応じて、振とう／撹拌し、周囲条件で１時間乾燥させる。
３．  ３ｇをバイアルに量り取り、２５ｍＬのＤＩを添加する。
４．  蓋をして１５回振とうし、直ちに上部から１１ｇをピペットで取り、別のバイアルに入れる。
５．  ＮＴＵ対時間を読み取る。
【００１９】
噴霧される試験溶液の量は、キャットリター上で０．５重量％に達するように制御される。試験に使用したキャットリターは、７０〜９０％のベントナイト、１０〜２５％の石灰石、＜６％のシリカ、および０．１〜１％のホウ砂を含有していた。
【００２０】
ＮＴＵが１１００  ＮＴＵより大きい場合は、正確な読み取り値が得られないため、システムが範囲外（ＯＲ）にあると報告される。特に興味深いのは、試験の最初の５分〜１時間の間に作成されたデータであり、これは粒子粉塵抑制と最もよく相関している。
【００２１】
試料説明表Ａ：
以下の試料説明表Ａ〜Ｆは、動物用リターから発生する粉塵を抑制するその能力について試験した全ての試料配合物を表す。表Ａは、試料ＫＬ−２７Ａ〜ＫＬ−４６Ｂの組成、固形分パーセント、および分子量を記載する。
【００２２】
【表Ａ】
2019537426.tif 000003
【００２３】
試料説明表Ｂ：
以下の試料説明表は、動物用リターから発生する粉塵を抑制するその能力について試験した全ての試料配合物を表す。表Ｂは、試料ＰＳ−１５、ＰＳ−２６、ＰＳ−２７、ＰＳ−３３、ＰＳ−３６、およびＰＳ−５７の組成、固形分パーセント、および分子量を記載する。
【００２４】
【表Ｂ】
2019537426.tif 000004
【００２５】
試料説明表Ｃ：
以下の試料説明表は、動物用リターから発生する粉塵を抑制するその能力について試験した全ての試料配合物を表す。表Ｃは、試料ＰＳ−５９、ＰＳ−６５、ＰＳ−７０、ＰＳ−１３８、Ａ−１、およびＡ−２の組成、固形分パーセント、および分子量を記載する。
【００２６】
【表Ｃ】
2019537426.tif 000005
【００２７】
試料説明表Ｄ：
以下の試料説明表は、動物用リターから発生する粉塵を抑制するその能力について試験した全ての試料配合物を表す。表Ｄは、試料Ａ−３、ＫＬ−３、ＫＬ−４、ＫＬ−５、ＫＬ−６、およびＫＬ−７の組成、固形分パーセント、および分子量を記載する。
【００２８】
【表Ｄ】
2019537426.tif 000006
【００２９】
試料説明表Ｅ：
以下の試料説明表は、動物用リターから発生する粉塵を抑制するその能力について試験した全ての試料配合物を表す。表Ｅは、試料ＫＬ−１２、ＫＬ−１３、ＫＬ−１４、ＫＬ−１５、ＫＬ−１６、およびＫＬ−１７の組成、固形分パーセント、および分子量を記載する。
【００３０】
【表Ｅ】
2019537426.tif 000007
【００３１】
試料説明表Ｆ
以下の試料説明表は、動物用リターから発生する粉塵を抑制するその能力について試験した全ての試料配合物を表す。表Ｆは、試料ＫＬ−１８、ＫＬ−１９、ＫＬ−２０、ＫＬ−２１、ＫＬ−２２、ＫＬ−２４、およびＫＬ−２５の組成、固形分パーセント、および分子量を記載する。
【００３２】
【表Ｆ】
2019537426.tif 000008
【００３３】
以下の実施例の表１〜１０は、明確さのためにベンチトップスクリーニング法を使用した動物用リターの粉塵抑制の評価を表す。透明度の測定値は、粉塵の抑制と相関があり得る。濁度は、比濁計と呼ばれる機器によって測定される。比濁計からの濁度の単位は、比濁計濁度単位（ＮＴＵ）である。高いＮＴＵ値は、より高い濁度を示し、より低いＮＴＵ値は、より低い濁度を示す。コーティングされたおよびコーティングされていない動物用リターの水抽出における濁度は、水中に浮遊する粒子によるものである。コーティングされた動物用リターの低いＮＴＵ値は、コーティングされた動物用リターからより少ない粒子が抽出されることを示し、粒子粉塵抑制を実証する。
【００３４】
表１は、動物用リターから発生する粉塵を抑制するその能力について試験した試料配合物についてのＮＴＵ値の実施例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、ＰＳ−２６がこのデータセットの中で粉塵抑制に最適であり、次にＰＳ−２７、ＰＳ−３６、およびＰＳ−３２であることを示している。このデータセットでは、ＰＳ−５９の方が対照よりも悪かった。
【００３５】
【表１】
2019537426.tif 000009
【００３６】
表２は、動物用リターから発生する粉塵を抑制するその能力について試験した試料配合物についてのＮＴＵ値の実施例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。試験した動物用リターには木材チップが含有されていた。このシリーズのデータ例は、ＫＬ−３およびＫＬ−４がこのデータセットの中で粉塵抑制に最適であることを示している。ＫＬ−５、ＫＬ−６、およびＫＬ−７は、このデータセットの中で対照と同様に実行された。
【００３７】
【表２】
2019537426.tif 000010
【００３８】
表３は、動物用リターから発生する粉塵を抑制するその能力について試験した試料配合物についてのＮＴＵ値の反復例を有する。試験した動物用リターには木材チップが含有されていなかった。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、ＫＬ−３およびＫＬ−４が依然として最良であることを示しており、粉塵抑制についてこのデータセットでは次にＫＬ−６が続く。ＫＬ−５、およびＫＬ−７は、このデータセットの中で対照と同様に実行された。
【００３９】
【表３】
2019537426.tif 000011
【００４０】
表４は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。脱イオン水の液相をデカントする前および脱イオン水の液相をデカントした後のＮＴＵ測定値を得た。このシリーズのデータ例は、このシリーズの全ての試料が粉塵抑制の対照よりも優れていることを示している。粉塵抑制のための最良の試料は、ＰＳ６５およびＰＳ１５であり、Ａ１およびＰＳ３３が次に続く。次いで、このデータセットでは、これらの後にＰＳ−５７、ＰＳ７０、Ａ２、およびＡ３が続く。
【００４１】
【表４】
2019537426.tif 000012
【００４２】
表５は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、粉塵抑制処理が動物用リターの表面上に維持され、時間とともに微粒子を抑制する能力をなお有することをさらに示す。ＫＬ−３およびＫＬ−４は、どちらもその粉塵抑制能力を維持している。
【００４３】
【表５】
2019537426.tif 000013
【００４４】
表６は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、このシリーズの全ての試料が粉塵抑制の対照よりも優れていることを示している。それらが実際に濁度の５分の読み取りで決定的な値を有していたので、粉塵抑制のための最良の試料は、ＫＬ−１６およびＫＬ−２４である。
【００４５】
【表６】
2019537426.tif 000014
【００４６】
表７は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、このシリーズの全ての試料が粉塵抑制の対照よりも優れていることを示している。最適な粉塵抑制のための試料は、４０％固形分でのＫＬ−３５および４５％固形分でのＫＬ−３３である。このデータセットでは、候補のいくつかは５分後に優れた粉塵抑制を有する。
【００４７】
【表７】
2019537426.tif 000015
【００４８】
表８は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、このシリーズの全ての試料が粉塵抑制の対照よりも優れていることを示している。最適な粉塵抑制のための試料は、１０％および４０％の固形分でＫＬ−４４である。このデータセットでは、候補のいくつかは５分後に優れた粉塵抑制を有する。
【００４９】
【表８】
2019537426.tif 000016
【００５０】
表９は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、このシリーズの全ての試料が粉塵抑制の対照よりも優れていることを示している。最適な粉塵抑制のための試料は、このデータセットのＫＬ−３４およびＫＬ−４２である。
【００５１】
【表９】
2019537426.tif 000017
【００５２】
表１０は、動物用リターから発生する粉塵を抑制するその能力について試験した試料配合物についてのＮＴＵ値の例を有する。対照よりも低いＮＴＵ値は、ＮＴＵが測定されたときにアリコート中に低レベルの懸濁粒子が見られるので、粉塵抑制の低下を示す。より短い時間でより低いＮＴＵ値は、これが対照の未処理の動物用リターと比較して加速された粉塵抑制を示すので好ましい。このシリーズのデータ例は、このシリーズの全ての試料が粉塵抑制の対照よりも優れていることを示している。最適な粉塵抑制のための試料は、このデータセットのＫＬ−４６ＡおよびＫＬ−４６Ｂである。
【００５３】
【表１０】
2019537426.tif 000018
【国際調査報告】
2019537426.tif 000019
2019537426.tif 000020